(57)【要約】【課題】  走行臨場感や快適なドライブ感を与えることができる擬似環境を生成する。【解決手段】  取得ユニット１１０により取得された車両の走行情報に基づいて、擬似環境コンテンツ生成部１９２が、擬似音データＰＳＧ及び擬似画像データＰＩＧを生成する。また、当該取得された走行情報から推定される走行状態が演出条件を満たす場合には、演出コンテンツ生成部１９３Ａが、演出音声データＤＳＧ及び演出画像データＤＩＧを生成する。そして、合成部１９４が、擬似音データＰＳＧと演出音声データＤＳＧとを合成し、出力音データＡＯＤとして音出力ユニット１３０へ送る。また、選択部１９５が、車両の走行状態が演出条件を満たす期間には演出画像データＤＩＧを選択し、車両の走行状態が演出条件を満していない期間には、擬似画像データＰＩＧを選択して、表示画像データＩＭＤとして表示ユニット１４０へ送る。【選択図】  図８
2011164242.tif 000002
【特許請求の範囲】
【請求項１】
車両に搭載され、音出力手段を備える擬似環境生成装置であって、
前記車両の走行状態の情報を取得する取得手段と；
前記車両の走行状態の情報に対応する擬似音情報を含む擬似環境情報が記憶された擬似環境情報記憶手段と；
前記車両の走行状態の情報に対応する演出音声情報を含む演出情報が記憶された演出情報記憶手段と；
前記擬似環境情報記憶手段内に記憶され、前記取得された走行状態の情報に対応している擬似音情報に基づいて、前記車両の走行状態に対応する擬似音を生成する擬似環境コンテンツ生成手段と；
前記取得された走行状態の情報が演出条件を満たす場合に、前記演出情報記憶手段内に記憶され、前記取得された走行状態の情報に対応している演出音声情報に基づいて、演出音声を生成する演出コンテンツ生成手段と；
前記生成された擬似音及び演出音声の少なくとも一方に基づく再生出力音を前記音出力手段へ供給する出力音供給手段と；
を備えることを特徴とする擬似環境生成装置。
【請求項２】
前記演出情報には、前記車両の走行状態の情報に対応する演出画像情報が更に含まれ、
前記演出コンテンツ生成手段は、前記取得された走行状態の情報が前記演出条件を満たす場合に、前記演出情報記憶手段内に記憶され、前記取得された走行状態に対応している演出画像情報に基づいて、演出画像を更に生成し、
画像を表示する画像表示手段と；
前記生成された演出画像を、前記画像表示手段へ供給する表示画像供給手段と；
を備えることを特徴とする請求項１に記載の擬似環境生成装置。
【請求項３】
前記擬似環境情報には、擬似画像情報が更に含まれ、
前記擬似環境コンテンツ生成手段は、前記擬似画像情報に基づいて、擬似画像を更に生成し、
前記表示画像供給手段は、前記取得された走行状態の情報が前記演出条件を満していない場合には、前記生成された擬似画像を前記画像表示手段へ供給する、
ことを特徴とする請求項２に記載の擬似環境生成装置。
【請求項４】
地図情報が記憶される地図情報記憶手段と；
前記車両の現在位置を検出する位置検出手段と；を更に備え、
前記演出コンテンツ生成手段は、前記位置検出手段による検出結果と前記地図情報とに基づいて特定される前記車両の周囲環境を考慮して、前記演出画像を生成する、
ことを特徴とする請求項２又は３に記載の擬似環境生成装置。
【請求項５】
地図情報が記憶される地図情報記憶手段と；
前記車両の現在位置を検出する位置検出手段と；を更に備え、
前記演出コンテンツ生成手段は、前記位置検出手段による検出結果と前記地図情報とに基づいて特定される前記車両の周囲環境を考慮して、前記演出音声を生成する、
ことを特徴とする請求項１〜４のいずれか一項に記載の擬似環境生成装置。
【請求項６】
前記演出条件は、前記車両が、減速状態、停止状態、発進状態及び加速状態の少なくとも１つの状態にあることである、ことを特徴とする請求項１〜５のいずれか一項に記載の擬似環境生成装置。
【請求項７】
操作入力が行われる操作入力手段と；
前記操作入力手段への入力結果に従って、前記擬似環境コンテンツ生成手段及び前記演出コンテンツ生成手段の動作を制御する制御手段と；
を更に備えることを特徴とする請求項１〜６のいずれか一項に記載の擬似環境生成装置。
【請求項８】
前記演出情報記憶手段では、前記演出情報が演出ジャンル別に記憶され、
前記制御手段は、前記操作入力手段に入力された演出ジャンルを、前記演出コンテンツ生成手段に対して指定する、
ことを特徴とする請求項７に記載の擬似環境生成装置。
【請求項９】
前記擬似環境記憶手段では、前記擬似環境情報が擬似環境ジャンル別に記憶され、
前記制御手段は、前記操作入力手段に入力された擬似環境ジャンルを、前記擬似環境コンテンツ生成手段に対して指定する、
ことを特徴とする請求項７又は８に記載の擬似環境生成装置。
【請求項１０】
音出力手段と；車両の走行状態の情報に対応する擬似音情報を含む擬似環境情報が記憶された擬似環境情報記憶手段と；前記車両の走行状態の情報に対応する演出音声情報を含む演出情報が記憶された演出情報記憶手段と；を備え、前記車両に搭載される擬似環境生成装置で使用される擬似環境生成方法であって、
前記車両の走行状態の情報を取得する取得工程と；
前記擬似環境情報記憶手段内に記憶され、前記取得された走行状態の情報に対応している擬似音の情報に基づいて、前記車両の走行状態に対応する擬似音を生成する擬似音生成工程と；
前記取得された走行状態の情報が演出条件を満たすか否かを判定する判定工程と；
前記判定工程における判定結果が肯定的であった場合に、前記演出情報記憶手段内に記憶され、前記取得された走行状態の情報に対応している演出音声情報に基づいて、演出音声を生成する演出コンテンツ生成工程と；
前記生成された擬似音及び演出音声の少なくとも一方に基づく再生出力音を前記音出力手段から再生出力させる音出力工程と；
を備えることを特徴とする擬似環境生成方法。
【請求項１１】
請求項１０に記載の擬似環境生成方法を演算手段により実行させる、ことを特徴とする擬似環境生成プログラム。
【請求項１２】
請求項１１に記載の擬似環境生成プログラムが、演算手段により読取可能に記録されている、ことを特徴とする記録媒体。
【発明の詳細な説明】
【技術分野】
【０００１】
本発明は、擬似環境生成装置、擬似環境生成方法及び擬似環境生成プログラム、並びに、当該擬似環境生成プログラムが記録された記録媒体に関する。
【背景技術】
【０００２】
近年における電気自動車やハイブリッド車の普及に伴い、車両の搭乗者に対して、走行臨場感や快適なドライブ感を与えるために車室内に擬似環境を生成する擬似環境生成装置に関する技術が注目されている。こうした擬似環境生成装置に関して提案されている技術としては、車両の走行状態に対応する擬似エンジン音を生成し、車室内に出力する方式が、一般的に採用されている（特許文献１参照：以下、「従来例１」と呼ぶ）。
【０００３】
また、車両の走行状態を反映する技術ではないが、車両に装備されているステアリングホイールや各ペダルを利用する自動車ゲーム装置として、車室内に擬似環境を生成する技術も提案されている（特許文献２参照：以下、「従来例２」と呼ぶ）。この従来例２では、車両の非走行時に実行されるゲームの進行に対応する画像や音声により、車室内に擬似環境を生成するようになっている。
【先行技術文献】
【特許文献】
【０００４】
【特許文献１】特開２００５−１２８２６２号公報
【特許文献２】特開２００５−０８７５８０号公報
【発明の概要】
【発明が解決しようとする課題】
【０００５】
上述した従来例１の技術では、通常走行時には、走行臨場感や快適なドライブ感を与えることができるが、例えば、渋滞により、発進、低速走行及び停止が繰り返される場合には、生成される擬似音は、レベルが低く、かつ、変化の乏しい単調なものとなってしまう。このため、従来例１の技術では、渋滞に起因する搭乗者のフラストレーションの解消には寄与し得ない。
【０００６】
また、上述した従来例２の技術は、車両の走行状態を反映した擬似環境を生成するものではない。このため、車両の走行に際して、走行臨場感や快適なドライブ感を与えることができない。
【０００７】
このため、通常走行時に限らず、渋滞時等においても、走行臨場感や快適なドライブ感を与えることができる技術が待望されている。かかる要請に応えることが、本発明が解決すべき課題の一つとして挙げられる。
【０００８】
本発明は、上記の事情を鑑みてなされたものであり、走行臨場感や快適なドライブ感を与えることができる新たな擬似環境生成装置及び擬似環境生成方法を提供することを目的とする。
【課題を解決するための手段】
【０００９】
請求項１に記載の発明は、車両に搭載され、音出力手段を備える擬似環境生成装置であって、前記車両の走行状態の情報を取得する取得手段と；前記車両の走行状態の情報に対応する擬似音情報を含む擬似環境情報が記憶された擬似環境情報記憶手段と；前記車両の走行状態の情報に対応する演出音声情報を含む演出情報が記憶された演出情報記憶手段と；前記擬似環境情報記憶手段内に記憶され、前記取得された走行状態の情報に対応している擬似音情報に基づいて、前記車両の走行状態に対応する擬似音を生成する擬似環境コンテンツ生成手段と；前記取得された走行状態の情報が演出条件を満たす場合に、前記演出情報記憶手段内に記憶され、前記取得された走行状態の情報に対応している演出音声情報に基づいて、演出音声を生成する演出コンテンツ生成手段と；前記生成された擬似音及び演出音声の少なくとも一方に基づく再生出力音を前記音出力手段へ供給する出力音供給手段と；を備えることを特徴とする擬似環境生成装置である。
【００１０】
請求項１０に記載の発明は、音出力手段と；車両の走行状態の情報に対応する擬似音情報を含む擬似環境情報が記憶された擬似環境情報記憶手段と；前記車両の走行状態の情報に対応する演出音声情報を含む演出情報が記憶された演出情報記憶手段と；を備え、前記車両に搭載される擬似環境生成装置で使用される擬似環境生成方法であって、前記車両の走行状態の情報を取得する取得工程と；前記擬似環境情報記憶手段内に記憶され、前記取得された走行状態の情報に対応している擬似音の情報に基づいて、前記車両の走行状態に対応する擬似音を生成する擬似音生成工程と；前記取得された走行状態の情報が演出条件を満たすか否かを判定する判定工程と；前記判定工程における判定結果が肯定的であった場合に、前記演出情報記憶手段内に記憶され、前記取得された走行状態の情報に対応している演出音声情報に基づいて、演出音声を生成する演出コンテンツ生成工程と；前記生成された擬似音及び演出音声の少なくとも一方に基づく再生出力音を前記音出力手段から再生出力させる音出力工程と；を備えることを特徴とする擬似環境生成方法である。
【００１１】
請求項１１に記載の発明は、請求項１０に記載の擬似環境生成方法を演算手段により実行させる、ことを特徴とする擬似環境生成プログラムである。
【００１２】
請求項１２に記載の発明は、請求項１１に記載の擬似環境生成プログラムが、演算手段により読取可能に記録されている、ことを特徴とする記録媒体。
【図面の簡単な説明】
【００１３】
【図１】本発明の第１実施形態に係る擬似環境生成装置の構成を概略的に示すブロック図である。
【図２】図１の記憶ユニットに記憶される情報を説明するための図である。
【図３】図２の擬似音情報の例を示す図である。
【図４】図３のジャンル別擬似音波形情報の例を示す図である。
【図５】図２の擬似画像情報の例を示す図である。
【図６】図２の演出音声情報の例を示す図である。
【図７】図２の演出画像情報の例を示す図である。
【図８】図１の処理ユニットの構成を示すブロック図である。
【図９】図８の擬似環境コンテンツ生成部の構成を示すブロック図である。
【図１０】図８の演出コンテンツ生成部の構成を示すブロック図である。
【図１１】第１実施形態における擬似音生成処理を説明するためのフローチャートである。
【図１２】第１実施形態における演出音声生成処理を説明するためのフローチャートである。
【図１３】第１実施形態における擬似画像生成処理を説明するためのフローチャートである。
【図１４】第１実施形態における演出画像生成処理を説明するためのフローチャートである。
【図１５】本発明の第２実施形態に係る擬似環境生成装置の構成を概略的に示すブロック図である。
【図１６】図１５の記憶ユニットに記憶される情報を説明するための図である。
【図１７】図１５の処理ユニットが備える演出コンテンツ生成部の構成を示すブロック図である。
【図１８】第２実施形態における演出音声生成処理を説明するためのフローチャートである。
【図１９】第２実施形態における演出画像生成処理を説明するためのフローチャートである。
【発明を実施するための形態】
【００１４】
以下、本発明の実施形態を、添付図面を参照して説明する。なお、以下の説明及び図面においては、同一又は同等の要素には同一符号を付し、重複する説明を省略する。
【００１５】
［第１実施形態］
まず、本発明の第１実施形態を、図１〜図１４を参照して説明する。
【００１６】
＜構成＞
図１には、第１実施形態に係る擬似環境生成装置１００Ａの概略的な構成が、ブロック図にて示されている。この図１に示されるように、擬似環境生成装置１００Ａは、車両ＣＲに搭載されている。そして、擬似環境生成装置１００Ａは、取得手段としての取得ユニット１１０と、記憶ユニット１２０Ａとを備えている。また、擬似環境生成装置１００Ａは、音出力手段としての音出力ユニット１３０と、画像表示手段としての表示ユニット１４０と、操作入力手段としての操作入力ユニット１５０とを備えている。さらに、擬似環境生成装置１００Ａは、処理ユニット１９０Ａを備えている。
【００１７】
上記の取得ユニット１１０は、加速度センサを備えて構成されており、車両ＣＲに作用している加速度を測定する。そして、取得ユニット１１０Ａは、加速度センサによる測定結果を、処理ユニット１９０Ａで処理可能な形態に変換する。
【００１８】
また、取得ユニット１１０は、車両ＣＲに装備された車速センサ９１０から送られた測定信号ＳＰＳを受ける。そして、取得ユニット１１０は、測定信号ＳＰＳを処理ユニット１９０Ａで処理可能な形態に変換する。
【００１９】
取得ユニット１１０は、こうして得られた加速度情報及び車速情報を、走行情報データＲＩＤとして、処理ユニット１９０Ａへ送る。すなわち、本第１実施形態では、取得ユニット１１０は、走行情報として加速度情報及び車速情報を取得し、取得結果を処理ユニット１９０Ａへ送るようになっている。
【００２０】
上記の記憶ユニット１２０Ａは、処理ユニット１９０Ａで利用される様々なデータが記憶される。この記憶ユニット１２０Ａには、処理ユニット１９０Ａがアクセスできる。そして、処理ユニット１９０Ａは、記憶ユニット１２０Ａから、擬似環境情報データＰＥＤ、演出情報データＤＲＤを適宜読み取るようになっている。なお、記憶ユニット１２０Ａに記憶される情報については、後述する。
【００２１】
上記の音出力ユニット１３０は、スピーカを備えて構成され、処理ユニット１９０Ａから受信した出力音データＡＯＤに対応する音声を出力する。この音出力ユニット１３０は、処理ユニット１９０Ａによる制御のもとで、擬似音、又は、擬似音と演出音声との合成音を出力する。
【００２２】
上記の表示ユニット１４０は、液晶パネル等の表示デバイスを備えて構成され、処理ユニット１９０Ａから受信した表示画像データＩＭＤに対応する画像を表示する。この表示ユニット１４０は、処理ユニット１９０Ａによる制御のもとで、後述する擬似画像及び演出画像や、操作入力ガイダンス画像等を表示する。
【００２３】
上記の操作入力ユニット１５０は、擬似環境生成装置１００Ａの本体部に設けられたキー部、及び／又は、キー部を備えるリモート入力装置等により構成される。ここで、本体部に設けられたキー部としては、表示ユニット１４０の表示デバイスに設けられたタッチパネルを用いることができる。なお、キー部を有する構成に代えて、又は併用して音声認識技術を利用して音声にて入力する構成を採用することもできる。
【００２４】
この操作入力ユニット１５０を利用者が操作することにより、擬似環境生成装置１００Ａの動作内容の設定や動作指令が行われる。こうした動作内容の設定としては、擬似環境ジャンルの指定や、演出ジャンルの指定等がある。こうした入力内容は、操作入力データＩＰＤとして、操作入力ユニット１５０から処理ユニット１９０Ａへ向けて送られる。
【００２５】
上記の処理ユニット１９０Ａは、擬似環境生成装置１００Ａの全体の動作を統括制御するとともに、様々なデジタル信号処理を行う。この処理ユニット１９０Ａの構成及び動作の詳細については、後述する。
【００２６】
次に、上述した記憶ユニット１２０Ａ内に記憶される情報データについて説明する。図２に示されるように、記憶ユニット１２０Ａ内には、擬似環境情報記憶手段としての擬似環境情報記憶領域１２１と、演出情報記憶手段としての演出情報記憶領域１２２とが設けられている。そして、擬似環境情報記憶領域１２１内には、擬似音情報ＰＳＩ及び擬似画像情報ＰＩＩが記憶されている。また、演出情報記憶領域１２２内には、演出音声情報ＤＳＩ及び演出画像情報ＤＩＩが記憶されている。
【００２７】
上記の擬似音情報ＰＳＩでは、図３に示されるように、擬似環境ジャンルＰＥＪp（ｐ＝１，２，…）ごとにジャンル別擬似音波形情報ＷＦＪpが対応付けられて登録されている。本第１実施形態では、擬似環境ジャンルとして、「Ｆ１レース」、「電車」等が用意されており、後述するように、利用者が、擬似環境ジャンルを選択できるようになっている。
【００２８】
ジャンル別擬似音波形情報ＷＦＪpのそれぞれにおいては、エンジン回転数に相当する回転数情報ＥＲと、アクセル開角に相当するアクセル情報ＡＲとの組み合わせに対応付けられて、擬似音の波形パターンが登録されている。本第１実施形態では、図４に示されるように、ジャンル別擬似音波形情報ＷＦＪpのそれぞれにおいて、回転数情報ＥＲの範囲（ＥＲp,j〜ＥＲp,j+1）（ｊ＝１，２，…）と、アクセル情報ＡＲの範囲（ＡＲp,k〜ＡＲp,k+1）（ｋ＝１，２，…）との組み合わせごとに対応付けられて、波形パターンＷＦＪp,jkが登録されるようになっている。
【００２９】
なお、回転数情報ＥＲ及びアクセル情報ＡＲは、処理ユニット１９０Ａが、取得ユニット１１０から送られた加速度情報及び車速情報に基づいて、導出するようになっている。
【００３０】
上記の擬似画像情報ＰＩＩでは、図５に示されるように、擬似環境ジャンルＰＥＪpごとにジャンル別擬似画像情報ＰＪＩpが対応付けられて登録されている。本第１実施形態では、ジャンル別擬似画像情報ＰＪＩpは、複数の静止画像情報を含んでいる。例えば、擬似環境ジャンルが「Ｆ１レース」に対応するジャンル別擬似画像情報は、走行経路に沿った複数の位置におけるＦ１カーの静止画像情報を含んでいる。また、擬似環境ジャンルが「電車」に対応するジャンル別擬似画像情報は、周囲画像が断続的に変化する電車に関する複数の静止画像情報を含んでいる。
【００３１】
上記の演出音声情報ＤＳＩでは、図６に示されるように、演出ジャンルＤＲＪq（ｑ＝１，２，…）と走行状態ＲＳＴr（ｒ＝１，２，３，４）との組み合わせのそれぞれに対応した個別演出音声情報ＤＳＩq,rが登録されている。本第１実施形態では、演出ジャンルとして、上述した擬似環境ジャンルの場合と同様に、「Ｆ１レース」、「電車」等が用意されており、後述するように、利用者が、演出ジャンルを選択できるようになっている。
【００３２】
なお、本第１実施形態では、走行状態ＲＳＴ1は車両ＣＲの停止へ向かう減速状態であり、走行状態ＲＳＴ2は車両ＣＲの停止状態である。また、走行状態ＲＳＴ3は車両ＣＲの発進時の状態であり、走行状態ＲＳＴ4は車両ＣＲの発進後の加速状態である。
【００３３】
そして、本第１実施形態では、例えば、演出ジャンルが「Ｆ１レース」の場合には、走行状態ＲＳＴ1に対応する個別演出音声情報は、除々に大きくなるピットスペースにおける音声の情報であり、走行状態ＲＳＴ2に対応する個別演出音声情報は、ピットイン時の周囲の会話やタイヤ交換等の音声の情報である。また、演出ジャンルが「Ｆ１レース」の場合には、走行状態ＲＳＴ3に対応する個別演出音声情報は、ピットスペースにおけるメカニック担当者からの激励等の音声の情報であり、走行状態ＲＳＴ4に対応する個別演出音声情報は、除々に小さくなるピットスペースにおける音声の情報である。
【００３４】
また、本第１実施形態では、例えば、演出ジャンルが「電車」の場合には、走行状態ＲＳＴ1に対応する個別演出音声情報は、停車駅への到着時のアナウンス音声等の情報であり、走行状態ＲＳＴ2に対応する個別演出音声情報は、停車時の停車駅における周囲の雑踏音等の音声の情報である。また、演出ジャンルが「電車」の場合には、走行状態ＲＳＴ3に対応する個別演出音声情報は、停車駅からの発車時のアナウンス音声等の音声の情報であり、走行状態ＲＳＴ4に対応する個別演出音声情報は、除々に小さくなる停車駅における周囲の雑踏音等の音声の情報である。
【００３５】
上記の演出画像情報ＤＩＩでは、図７に示されるように、演出ジャンルＤＲＪqと走行状態ＲＳＴrとの組み合わせのそれぞれに関連付けて個別演出画像情報ＤＩＩq,rが登録されている。本第１実施形態では、例えば、演出ジャンルが「Ｆ１レース」の場合には、走行状態ＲＳＴ1に対応する個別演出画像情報は、ピットロードをピットスペースへ向かうＦ１カーの動画像情報であり、走行状態ＲＳＴ2に対応する個別演出画像情報は、ピットイン時におけるタイヤ交換や給油の動画像情報である。また、演出ジャンルが「Ｆ１レース」の場合には、走行状態ＲＳＴ3に対応する個別演出画像情報は、ピットアウト時の周囲の動画像情報であり、走行状態ＲＳＴ4に対応する個別演出画像情報は、ピットロードをレースコースへ向かうＦ１カーの動画像情報である。
【００３６】
また、本第１実施形態では、例えば、演出ジャンルが「電車」の場合には、走行状態ＲＳＴ1に対応する個別演出画像情報は、停車駅への電車の到着時の動画像の情報であり、走行状態ＲＳＴ2に対応する個別演出画像情報は、電車の停車時の停車駅の動画像の情報である。また、演出ジャンルが「電車」の場合には、走行状態ＲＳＴ3に対応する個別演出画像情報は、停車駅からの電車の発車時の動画像の情報であり、走行状態ＲＳＴ4に対応する個別演出画像情報は、発車後の電車の加速時の動画像の情報である。
【００３７】
次いで、上述した処理ユニット１９０Ａの構成について説明する。この処理ユニット１９０Ａは、図８に示されるように、制御手段としての制御部１９１と、擬似環境コンテンツ生成手段としての擬似環境コンテンツ生成部１９２と、演出コンテンツ生成手段としての演出コンテンツ生成部１９３Ａとを備えている。また、処理ユニット１９０Ａは、出力音供給手段としての合成部１９４と、表示画像供給手段としての選択部１９５とを備えている。
【００３８】
上記の制御部１９１は、操作入力ユニット１５０から送られた操作入力データＩＰＤを受ける。操作入力データＩＰＤがジャンルの指定である場合には、指定されたジャンルを、擬似環境ジャンル指定ＰＪＣとして、擬似環境コンテンツ生成部１９２へ送る。また、制御部１９１は、当該指定されたジャンルを、演出ジャンル指定ＤＪＣとして、演出コンテンツ生成部１９３Ａへ送る。
【００３９】
上記の擬似環境コンテンツ生成部１９２は、取得ユニット１１０から送られた走行情報データＲＩＤを受ける。そして、擬似環境コンテンツ生成部１９２は、制御部１９１から送られた擬似環境ジャンル指定ＰＪＣにより指定された擬似環境ジャンル、及び、走行情報データＲＩＤに基づいて特定された車両ＣＲの走行状態に基づいて、記憶ユニット１２０Ａから擬似環境情報データＰＥＤを読み取る。そして、擬似環境コンテンツ生成部１９２は、読み取られた擬似環境情報データＰＥＤに基づいて、擬似音及び擬似画像を生成する。なお、擬似環境コンテンツ生成部１９２の詳細については、後述する。
【００４０】
擬似環境コンテンツ生成部１９２により生成された擬似音は、擬似音データＰＳＧとして合成部１９４へ送られる。また、擬似環境コンテンツ生成部１９２により生成された擬似画像は、擬似画像データＰＩＧとして選択部１９５へ送られる。
【００４１】
上記の演出コンテンツ生成部１９３Ａは、取得ユニット１１０から送られた走行情報データＲＩＤを受ける。この演出コンテンツ生成部１９３Ａは、走行情報データＲＩＤに基づいて特定された車両ＣＲの走行状態が上述した走行状態ＲＳＴ1〜ＲＳＴ4のいずれかである場合に、演出音声及び演出画像を生成するとともに、選択部１９５へ、演出画像を選択すべき旨の選択指令ＩＳＣを送る。
【００４２】
演出コンテンツ生成部１９３Ａは、演出音声及び演出画像の生成に際して、制御部１９１から送られた演出ジャンル指定ＤＪＣにより指定された演出ジャンル、及び、当該特定された車両ＣＲの走行状態に基づいて、記憶ユニット１２０Ａから演出情報データＤＲＤを読み取る。そして、演出コンテンツ生成部１９３Ａは、読み取られた演出情報データＤＲＤに基づいて、演出音声及び演出画像を生成する。なお、演出コンテンツ生成部１９３Ａの詳細については、後述する。
【００４３】
演出コンテンツ生成部１９３Ａにより生成された演出音声は、演出音声データＤＳＧとして合成部１９４へ送られる。また、演出コンテンツ生成部１９３Ａにより生成された演出画像は、演出画像データＤＩＧとして選択部１９５へ送られる。
【００４４】
上記の合成部１９４は、擬似環境コンテンツ生成部１９２から送られた擬似音データＰＳＧ、及び、演出コンテンツ生成部１９３Ａから送られた演出音声データＤＳＧを受ける。そして、合成部１９４は、擬似音データＰＳＧと演出音声データＤＳＧとを加算することにより、擬似音と演出音声とを合成する。こうして合成された音声データは、出力音データＡＯＤとして、音出力ユニット１３０へ送られる。
【００４５】
上記の選択部１９５は、擬似環境コンテンツ生成部１９２から送られた擬似画像データＰＩＧ、及び、演出コンテンツ生成部１９３Ａから送られた演出画像データＤＩＧを受ける。そして、選択部１９５は、演出コンテンツ生成部１９３Ａから送られた選択指令ＩＳＣに従って、擬似画像データＰＩＧ及び演出画像データＤＩＧのいずれかを選択して出力する。こうして選択された表示画像データは、表示画像データＩＭＤとして、表示ユニット１４０へ送られる。
【００４６】
次に、上記の擬似環境コンテンツ生成部１９２の構成について、説明する。この擬似環境コンテンツ生成部１９２は、図９に示されるように、擬似音生成部１９６と、擬似画像生成部１９７とを備えている。
【００４７】
上記の擬似音生成部１９６は、取得ユニット１１０から送られた走行情報データＲＩＤを受けると、走行情報データＲＩＤに基づいて車両ＣＲの車速及び加速度を特定した後、特定された車速及び加速度に基づいて、エンジン回転数に相当する回転数情報、及び、アクセル開角に相当するアクセル情報を導出する。引き続き、擬似音生成部１９６は、導出された回転数情報及びアクセル情報、並びに、制御部１９１により指定された擬似環境ジャンルの組み合わせに対応して記憶ユニット１２０Ａの擬似環境情報記憶領域１２１内に記憶された波形パターンを、擬似環境情報データＰＥＤの一部である擬似音情報データＰＳＤとして読み取る。そして、擬似音生成部１９６は、読み取られた波形パターンに基づいて擬似音を生成し、擬似音データＰＳＧとして、合成部１９４へ送る。
【００４８】
上記の擬似画像生成部１９７は、取得ユニット１１０から送られた走行情報データＲＩＤを受けると、走行情報データＲＩＤに基づいて、車両ＣＲの車速を特定した後、特定された車速に基づいて、静止画像切換周期を決定する。引き続き、擬似画像生成部１９７は、導出された静止画像切換周期で、制御部１９１により指定された擬似環境ジャンルに対応して記憶ユニット１２０Ａの擬似環境情報記憶領域１２１内に記憶された複数の静止画像情報を、擬似環境情報データＰＥＤの一部である擬似画像情報データＰＩＤとして順次読み取る。そして、擬似画像生成部１９７は、読み取られた静止画像情報に基づいて擬似画像を生成し、擬似画像データＰＩＧとして、選択部１９５へ送る。
【００４９】
次に、上記の演出コンテンツ生成部１９３Ａの構成について、説明する。この演出コンテンツ生成部１９３Ａは、図１０に示されるように、演出音声生成部１９８Ａと、演出画像生成部１９９Ａとを備えている。
【００５０】
上記の演出音声生成部１９８Ａは、取得ユニット１１０から送られた走行情報データＲＩＤを受けると、走行情報データＲＩＤに基づいて車両ＣＲの車速及び加速度を特定した後、特定された車速及び加速度に基づいて車両ＣＲの走行状態を特定する。そして、演出音声生成部１９８Ａは、特定された走行状態が上述した走行状態ＲＳＴ1〜ＲＳＴ4のいずれかであるという演出条件を満たすか否かを判定する。
【００５１】
当該判定の結果が肯定的であった場合に、演出音声生成部１９８Ａは、特定された走行状態、及び、制御部１９１により指定された演出ジャンルの組み合わせに対応して記憶ユニット１２０Ａの演出情報記憶領域１２２内に記憶された個別演出音声情報を、演出情報データＤＲＤの一部である演出音声情報データＤＳＤとして読み取る。そして、演出音声生成部１９８Ａは、読み取られた個別演出音声情報に基づいて演出音声を生成し、演出音声データＤＳＧとして、合成部１９４へ送る。
【００５２】
上記の演出画像生成部１９９Ａは、取得ユニット１１０から送られた走行情報データＲＩＤを受けると、上述した演出音声生成部１９８Ａと同様に、走行情報データＲＩＤに基づいて車両ＣＲの車速及び加速度を特定する。そして、演出画像生成部１９９Ａは、特定された走行状態が上述の演出条件を満たすか否かを判定する。
【００５３】
当該判定の結果が肯定的であった場合に、演出画像生成部１９９Ａは、特定された走行状態、及び、制御部１９１により指定された演出ジャンルの組み合わせに対応して記憶ユニット１２０Ａの演出情報記憶領域１２２内に記憶された個別演出画像情報を、演出情報データＤＲＤの一部である演出画像情報データＤＩＤとして読み取る。そして、演出画像生成部１９９Ａは、読み取られた個別演出画像情報に基づいて演出画像を生成し、演出画像データＤＩＧとして、選択部１９５へ送る。
【００５４】
また、当該判定の結果が否定的であったものが肯定的となった場合に、演出画像生成部１９９Ａは、選択部１９５へ、演出画像データＤＩＧを選択すべき旨の選択指令ＩＳＣを送る。一方、当該判定の結果が肯定的であったものが否定的となった場合に、演出画像生成部１９９Ａは、選択部１９５へ、擬似画像データＰＩＧを選択すべき旨の選択指令ＩＳＣを送る。
【００５５】
＜動作＞
次に、上記のように構成された擬似環境生成装置１００Ａの動作について、処理ユニット１９０Ａにおける処理に主に着目して説明する。なお、利用者の操作入力ユニット１５０への擬似環境ジャンル及び演出ジャンルの指定入力に従って、指定された擬似環境ジャンルが擬似環境コンテンツ生成部１９２に対して指定されるとともに、指定された演出ジャンルが演出コンテンツ生成部１９３Ａに対して指定されているものとする。
【００５６】
擬似環境生成装置１００Ａでは、取得ユニット１１０が、内部に備えている加速度センサにより、車両ＣＲの加速度を測定する。そして、取得ユニット１１０は、加速度測定結果を、処理ユニット１９０Ａで処理可能な形態に変換する。
【００５７】
また、取得ユニット１１０は、車速センサ９１０から送られた測定信号ＳＰＳを受ける。そして、取得ユニット１１０は、測定信号ＳＰＳを、処理ユニット１９０Ａで処理可能な形態に変換する。
【００５８】
こうして得られた変換結果は、走行情報データＲＩＤとして、取得ユニット１１０から処理ユニット１９０Ａへ送られる（図１参照）。処理ユニット１９０Ａは、取得ユニット１１０から送られた走行情報データＲＩＤを受け、出力音データＡＯＤ及び表示画像データＩＭＤの生成処理を行う。
【００５９】
《出力音データＡＯＤの生成処理》
出力音データＡＯＤの生成処理に際して、処理ユニット１９０Ａは、擬似音データＰＳＧの生成処理、演出音声データＤＳＧの生成処理、及び、擬似音データＰＳＧと演出音声データＤＳＧとの合成処理を行う。
【００６０】
（ａ）擬似音データＰＳＧの生成処理
擬似音データＰＳＧの生成処理は、処理ユニット１９０Ａにおける擬似環境コンテンツ生成部１９２の構成要素である擬似音生成部１９６により実行される（図９参照）。
【００６１】
擬似音データＰＳＧの生成処理に際しては、図１１に示されるように、まず、ステップＳ１１において、擬似音生成部１９６が、新たな走行情報データＲＩＤを受けたか否かを判定する。この判定の結果が否定的であった場合（ステップＳ１１：Ｎ）には、ステップＳ１１の処理が繰り返される。
【００６２】
擬似音生成部１９６が新たな走行情報データＲＩＤを受け、ステップＳ１１における判定の結果が肯定的となると（ステップＳ１１：Ｙ）、処理はステップＳ１２へ進む。このステップＳ１２では、擬似音生成部１９６が、新たな走行情報データＲＩＤに基づいて、車速及び加速度を特定する。
【００６３】
次に、ステップＳ１３において、擬似音生成部１９６が、特定された車速及び加速度に基づいて、アクセル情報ＡＲ及び回転数情報ＥＲを導出する。ここで、アクセル情報ＡＲの導出に際して、擬似音生成部１９６は、特定された車速及び加速度に基づいて、アクセル情報ＡＲを導出する。また、回転数情報ＥＲの導出に際して、擬似音生成部１９６は、特定された車速に基づいて、回転数情報ＥＲを導出する。
【００６４】
なお、本第１実施形態では、記憶ユニット１２０Ａ内には、車速に関連付けてギアシフト位置が登録された不図示のギアシフトテーブルが登録されている。擬似音生成部１９６は、回転数情報ＥＲの導出に際して、特定された車速に関連付けてギアシフトテーブルに登録されたギアシフト位置を読み取る。そして、擬似音生成部１９６は、読み取られたギアシフト位置と当該特定された車速とに基づいて、回転数情報ＥＲを導出するようになっている。
【００６５】
次に、ステップＳ１４において、擬似音生成部１９６が、導出されたアクセル情報及び回転数情報と、指定された擬似環境ジャンルとの組み合わせに対応して登録されている波形パターンを、記憶ユニット１２０Ａ内の擬似環境情報記憶領域１２１から、擬似音情報データＰＳＤとして読み取る。引き続き、ステップＳ１５において、擬似音生成部１９６が、新たに読み取られた波形パターンが現時点における波形パターンから変化しているか否かを判定することにより、波形パターンを変化させるべきか否かを判定する。この判定が否定的であった場合（ステップＳ１５：Ｎ）には、処理はステップＳ１１へ戻る。
【００６６】
一方、ステップＳ１５における判定の結果が肯定的であった場合（ステップＳ１５：Ｙ）には、処理はステップＳ１６へ進む。このステップＳ１６では、擬似音生成部１９６が、読み取られた波形パターンに基づいた擬似音データＰＳＧの生成を開始する。こうして生成された擬似音データＰＳＧは、合成部１９４へ送られる（図９参照）。
【００６７】
そして、処理はステップＳ１１へ戻る。以後、ステップＳ１１〜Ｓ１６の処理が繰り返される。
【００６８】
なお、ステップＳ１６で開始された新たな波形パターンに基づく擬似音データＰＳＧの生成処理は、次にステップＳ１６が実行されるまで継続するようになっている。
【００６９】
（ｂ）演出音声データＤＳＧの生成処理
演出音声データＤＳＧの生成処理は、処理ユニット１９０Ａにおける演出コンテンツ生成部１９３Ａの構成要素である演出音声生成部１９８Ａにより実行される（図１０参照）。
【００７０】
演出音声データＤＳＧの生成処理に際しては、図１２に示されるように、まず、ステップＳ２１において、演出音声生成部１９８Ａが、新たな走行情報データＲＩＤを受けたか否かを判定する。この判定の結果が否定的であった場合（ステップＳ２１：Ｎ）には、ステップＳ２１の処理が繰り返される。
【００７１】
演出音声生成部１９８Ａが新たな走行情報データＲＩＤを受け、ステップＳ２１における判定の結果が肯定的となると（ステップＳ２１：Ｙ）、処理はステップＳ２２へ進む。このステップＳ２２では、演出音声生成部１９８Ａが、新たな走行情報データＲＩＤに基づいて、上述した演出条件を満たすか否かを判定することにより、車両ＣＲが演出音声を発生すべき走行状態であるか否かを判定する。
【００７２】
ステップＳ２２における判定に際しては、演出音声生成部１９８Ａは、新たな走行情報データＲＩＤに基づいて、車速及び加速度を特定する。そして、演出音声生成部１９８Ａは、特定された車速及び加速度の時間変化を解析することにより、車両ＣＲの走行状態が、上述した走行状態ＲＳＴ1〜ＲＳＴ4のいずれかに該当すると推定されるか否かを判定することにより、演出条件が満たすか否かを判定する。
【００７３】
ステップＳ２２における判定の結果が肯定的であった場合（ステップＳ２２：Ｙ）には、処理はステップＳ２３へ進む。このステップＳ２３では、演出音声生成部１９８Ａが、新たに推定された走行状態と、前回に推定された走行状態とが異なっているか否かを判定することにより、車両ＣＲの走行状態が、走行状態ＲＳＴ1〜ＲＳＴ4の範囲内で変化したか否かを判定する。この判定の結果が否定的であった場合（ステップＳ２３：Ｎ）には、処理はステップＳ２１へ戻る。
【００７４】
ステップＳ２３における判定の結果が肯定的であった場合（ステップＳ２３：Ｙ）には、処理はステップＳ２４へ進む。このステップＳ２４では、演出音声生成部１９８Ａが、指定された演出ジャンルとの組み合わせに対応して登録されている個別演出音声情報を、記憶ユニット１２０Ａ内の演出情報記憶領域１２２から、演出音声情報データＤＳＤとして読み取る。
【００７５】
次に、ステップＳ２５において、演出音声生成部１９８Ａが、読み取られた個別演出音声情報に基づいた演出音声データＤＳＧの生成を開始する。こうして生成された演出音声データＤＳＧは、合成部１９４へ送られる（図１０参照）。そして、処理はステップＳ２１へ戻る。
【００７６】
なお、ステップＳ２５で開始された新たな個別演出音声情報に基づく演出音声データＤＳＧの生成処理は、次にステップＳ２５が実行されるまで、又は、後述するステップＳ２７が実行されるまで継続するようになっている。
【００７７】
一方、上述したステップＳ２２における判定の結果が否定的であった場合（ステップＳ２２：Ｎ）には、処理はステップＳ２６へ進む。このステップＳ２６では、演出音声生成部１９８Ａが、演出音声データＤＳＧの生成中であるか否かを判定する。この判定の結果が否定的であった場合（ステップＳ２６：Ｎ）には、処理はステップ２１へ戻る。
【００７８】
ステップＳ２６における判定の結果が肯定的であった場合（ステップＳ２６：Ｙ）には、処理はステップ２７へ進む。このステップＳ２７では、演出音声生成部１９８Ａが、演出音声データＤＳＧの生成を終了する。
【００７９】
そして、処理はステップＳ２１へ戻る。以後、ステップＳ２１〜Ｓ２７の処理が繰り返される。
【００８０】
（ｃ）擬似音データＰＳＧと演出音声データＤＳＧとの合成処理
擬似音データＰＳＧと演出音声データＤＳＧとの合成処理は、処理ユニット１９０Ａにおける合成部１９４により実行される。
【００８１】
合成部１９４は、上述のようにして生成された擬似音データＰＳＧ及び演出音声データＤＳＧを受ける。そして、合成部１９４は、擬似音データＰＳＧと演出音声データＤＳＧとを加算することにより、擬似音データＰＳＧと演出音声データＤＳＧとを合成し、出力音データＡＯＤを生成する。
【００８２】
この結果、演出音声生成部１９８Ａが演出音声を生成している状態、すなわち、車両ＣＲの走行状態が走行状態ＲＳＴ1〜ＲＳＴ4のいずれかの状態である期間においては、擬似音に演出音声が重畳された音のデータが、出力音データＡＯＤとして生成される。一方、演出音声生成部１９８Ａが演出音声を生成していない状態、すなわち、車両ＣＲの走行状態が走行状態ＲＳＴ1〜ＲＳＴ4のいずれの状態にもない期間においては、擬似音のデータである擬似音データＰＳＧが、出力音データＡＯＤとして生成される。
【００８３】
こうして生成された出力音データＡＯＤが、音出力ユニット１３０へ送られる（図８参照）。そして、音声ユニット１３０は、出力音データＡＯＤに従って、音出力を行う。
【００８４】
《表示画像データＩＭＤの生成処理》
表示画像データＩＭＤの生成処理に際して、処理ユニット１９０Ａは、擬似画像データＰＩＧの生成処理、演出画像データＤＩＧの生成処理、及び、擬似画像データＰＩＧ又は演出画像データＤＩＧの選択処理を行う。
【００８５】
（ｄ）擬似画像データＰＩＧの生成処理
擬似画像データＰＩＧの生成処理は、処理ユニット１９０Ａにおける擬似環境コンテンツ生成部１９２の構成要素である擬似画像生成部１９７により実行される（図９参照）。
【００８６】
擬似画像データＰＩＧの生成処理に際しては、図１３に示されるように、まず、ステップＳ３１において、擬似画像生成部１９７が、新たな走行情報データＲＩＤを受けたか否かを判定する。この判定の結果が否定的であった場合（ステップＳ３１：Ｎ）には、ステップＳ３１の処理が繰り返される。
【００８７】
擬似画像生成部１９７が新たな走行情報データＲＩＤを受け、ステップＳ３１における判定の結果が肯定的となると（ステップＳ３１：Ｙ）、処理はステップＳ３２へ進む。このステップＳ３２では、擬似画像生成部１９７が、新たな走行情報データＲＩＤに基づいて、車速を特定する。
【００８８】
次に、ステップＳ３３において、擬似画像生成部１９７が、特定された車速に基づいて、静止画像切換の周期を決定する。引き続き、ステップＳ３４において、擬似画像音生成部１９７は、決定された周期、及び、指定された擬似環境ジャンルに従った擬似画像データＰＩＧの生成を開始する。
【００８９】
かかる擬似画像データＰＩＧの生成に際して、擬似画像生成部１９７は、決定された周期で、記憶ユニット１２０Ａの擬似環境情報記憶領域１２１内に記憶された複数の静止画像情報を、１つずつ順次読み取る。そして、擬似画像生成部１９７は、１つの静止画像情報を読み取るたびに、読み取られた静止画像情報に基づいて、擬似画像データＰＩＧを生成する。
【００９０】
そして、処理はステップＳ３１へ戻る。以後、ステップＳ３１〜Ｓ３４の処理が繰り返される。
【００９１】
なお、ステップＳ３４で開始された新たに決定された周期に基づく擬似画像データＰＩＧの生成処理は、次にステップＳ３４が実行されるまで継続するようになっている。
【００９２】
（ｅ）演出画像データＤＩＧの生成処理
演出画像データＤＩＧの生成処理は、処理ユニット１９０Ａにおける演出コンテンツ生成部１９３Ａの構成要素である演出画像生成部１９９Ａにより実行される（図１０参照）。
【００９３】
演出画像データＤＩＧの生成処理に際しては、図１４に示されるように、まず、ステップＳ４１において、演出画像生成部１９９Ａが、新たな走行情報データＲＩＤを受けたか否かを判定する。この判定の結果が否定的であった場合（ステップＳ４１：Ｎ）には、ステップＳ４１の処理が繰り返される。
【００９４】
演出画像生成部１９９Ａが新たな走行情報データＲＩＤを受け、ステップＳ４１における判定の結果が肯定的となると（ステップＳ４１：Ｙ）、処理はステップＳ４２へ進む。このステップＳ４２では、演出画像生成部１９９Ａが、新たな走行情報データＲＩＤに基づいて、上述したステップＳ２２（図１２参照）と同様にして、車両ＣＲが演出画像データＤＩＧを生成すべき走行状態であるか否かを判定する。
【００９５】
ステップＳ４２における判定の結果が肯定的であった場合（ステップＳ４２：Ｙ）には、処理はステップＳ４３へ進む。このステップＳ４３では、演出画像生成部１９９Ａが、上述したステップＳ２３（図１２参照）と同様にして、車両ＣＲの走行状態が変化したか否かを判定する。この判定の結果が否定的であった場合（ステップＳ４３：Ｎ）には、処理はステップＳ４１へ戻る。
【００９６】
ステップＳ４３における判定の結果が肯定的であった場合（ステップＳ４３：Ｙ）には、処理はステップＳ４４へ進む。このステップＳ４４では、演出画像生成部１９９Ａが、演出画像データＤＩＧを生成中か否かを判定する。この判定が肯定的であった場合（ステップＳ４４：Ｙ）には、処理は、後述するステップＳ４６へ進む。
【００９７】
ステップＳ４４における判定の結果が否定的であった場合（ステップＳ４４：Ｎ）には、処理はステップＳ４５へ進む。このステップＳ４５では、演出画像生成部１９９Ａが、演出画像データＤＩＧを選択すべき旨の選択指令ＩＳＣを選択部１９５へ送ることにより、演出画像データＤＩＧを表示画像データＩＭＤとすべきことを選択する。そして、処理はステップＳ４６へ進む。
【００９８】
ステップＳ４６では、演出画像生成部１９９Ａが、推定された走行状態と、指定された演出ジャンルとの組み合わせに対応して登録されている個別演出画像情報を、記憶ユニット１２０Ａ内の演出情報記憶領域１２２から、演出画像情報データＤＩＤとして読み取る。引き続き、ステップＳ４７において、演出画像生成部１９９Ａが、読み取られた個別演出画像情報に基づいた演出画像データＤＩＧの生成を開始する。こうして生成された演出画像データＤＩＧは、選択部１９５へ送られる（図１０参照）。そして、処理はステップＳ４１へ戻る。
【００９９】
なお、ステップＳ４７で開始された新たな個別演出画像情報に基づく演出画像データＤＩＧの生成処理は、次にステップＳ４７が実行されるまで、又は、後述するステップＳ５０が実行されるまで継続するようになっている。
【０１００】
一方、上述したステップＳ４２における判定の結果が否定的であった場合（ステップＳ４２：Ｎ）には、処理はステップＳ４８へ進む。このステップＳ４８では、演出画像生成部１９９Ａが、演出画像データＤＩＧの生成中であるか否かを判定する。この判定の結果が否定的であった場合（ステップＳ４８：Ｎ）には、処理はステップ４１へ戻る。
【０１０１】
ステップＳ４８における判定の結果が肯定的であった場合（ステップＳ４８：Ｙ）には、処理はステップＳ４９へ進む。このステップＳ４９では、演出画像生成部１９９Ａが、演出画像データＤＩＧの生成を終了する。引き続き、ステップＳ５０において、演出画像生成部１９９Ａが、擬似画像データＰＩＧを選択すべき旨の選択指令ＩＳＣを選択部１９５へ送ることにより、擬似画像データＰＩＧを表示画像データＩＭＤとすべきことを選択する。
【０１０２】
そして、処理はステップＳ４１へ戻る。以後、ステップＳ４１〜Ｓ５０の処理が繰り返される。
【０１０３】
（ｆ）擬似画像データＰＩＧ又は演出画像データＤＩＧの選択処理
擬似画像データＰＩＧ又は演出画像データＤＩＧの選択処理は、処理ユニット１９０Ａにおける選択部１９５により実行される（図８参照）。
【０１０４】
選択部１９５は、上述にようにして生成された擬似画像データＰＩＧ及び演出画像データＤＩＧを受ける。そして、選択部１９５は、演出画像生成部１９９Ａから送られた選択指令ＩＳＣに従って、擬似画像データＰＩＧ又は演出画像データＤＩＧのいずれか一方を選択し、表示画像データＩＭＤとして表示ユニット１４０へ送る。
【０１０５】
この結果、演出画像生成部１９９Ａが演出画像データＤＩＧを生成している状態にある期間、すなわち、車両ＣＲの走行状態が走行状態ＲＳＴ1〜ＲＳＴ4のいずれかの状態である期間においては、演出画像データＤＩＧが、表示画像データＩＭＤとして表示ユニット１４０へ送られる。一方、演出画像生成部１９９Ａが演出画像データＤＩＧを生成していない状態にある期間、すなわち、車両ＣＲの走行状態が走行状態ＲＳＴ1〜ＲＳＴ4のいずれの状態にもない期間においては、擬似画像データＰＩＧが、表示画像データＩＭＤとして表示ユニット１４０へ送られる。
【０１０６】
表示ユニット１４０は、選択部１９５から送られた表示画像データＩＭＤを受ける。そして、表示ユニット１４０は、表示画像データＩＭＤに従った画像表示を行う。
【０１０７】
以上説明したように、本第１実施形態では、取得ユニット１１０により取得された車両ＣＲの走行情報に基づいて、擬似環境コンテンツ生成部１９２が、擬似音データＰＳＧ及び擬似画像データＰＩＧを生成する。また、当該取得された走行情報から推定される走行状態が演出条件を満たす場合には、演出コンテンツ生成部１９３Ａが、演出音声データＤＳＧ及び演出画像データＤＩＧを生成する。
【０１０８】
そして、合成部１９４が、擬似音データＰＳＧと演出音声データＤＳＧとを合成して、出力音データＡＯＤを生成して、音出力ユニット１３０へ送る。そして、音出力ユニット１３０が、出力音データＡＯＤに基づいた音出力を行う。
【０１０９】
また、選択部１９５は、車両ＣＲの走行状態が演出条件を満たす期間には、演出画像データＤＩＧを選択し、表示画像データＩＭＤとして表示ユニット１４０へ送る。一方、選択部１９５は、車両ＣＲの走行状態が演出条件を満していない期間には、擬似画像データＰＩＧを選択し、表示画像データＩＭＤとして表示ユニット１４０へ送る。そして、表示ユニット１４０は、表示画像データＩＭＤに基づいた画像表示を行う。
【０１１０】
したがって、本第１実施形態によれば、利用者に対して走行臨場感や快適なドライブ感を与えることができる擬似環境を生成することができる。
【０１１１】
また、本第１実施形態では、擬似環境情報が複数の擬似環境ジャンルごとに用意され、演出情報が複数の演出ジャンルごとに用意されるともに、操作入力ユニット１５０へのジャンル指定入力により、擬似環境ジャンル及び演出ジャンルを選択できる。このため、利用者の趣味感に適合した擬似環境を生成することができる。
【０１１２】
［第２実施形態］
次に、本発明の第２実施形態を、図１５〜１９を主に参照して説明する
【０１１３】
＜構成＞
図１５には、第２実施形態に係る擬似環境生成装置１００Ｂの構成が概略的に示されている。この図１５に示されるように、上述した擬似環境生成装置１００Ａと比べて、記憶ユニット１２０Ａに代えて記憶ユニット１２０Ｂを備える点、位置検出手段としてのＧＰＳ受信ユニット１６０を更に備える点、及び、処理ユニット１９０Ａに代えて処理ユニット１９０Ｂを備える点が異なる。以下、これらの相違点に主に着目して、説明する。
【０１１４】
上記の記憶ユニット１２０Ｂは、図１６に示されるように、上述した記憶ユニット１２０Ａと比べて、地図情報記憶手段としての地図情報記憶領域１２３が更に設けられている点が異なっている。この地図情報記憶領域１２３内には、地図情報ＭＰＩが記憶されている。なお、当該地図情報ＭＰＩには、施設名等の地点（ＰＯＩ（Points Of Interest））情報が含まれている。
【０１１５】
上記のＧＰＳ受信ユニット１６０は、複数のＧＰＳ衛星からの電波の受信結果に基づいて、車両ＣＲの現在位置を算出する。この現在位置の算出結果は、現在位置データＣＰＤとして、処理ユニット１９０Ｂへ送られる。
【０１１６】
なお、ＧＰＳ受信ユニット１６０は、ＧＰＳ衛星から送出された日時情報に基づいて、現在時刻を計時する。この現在時刻の計時結果は、上述した現在位置データＣＰＤとともに、処理ユニット１９０Ｂへ送られる。
【０１１７】
上記の処理ユニット１９０Ｂは、上述した処理ユニット１９０Ａと比べて、演出コンテンツ生成部１９３Ａに代えて、図１７に示されるように構成された演出コンテンツ生成部１９３Ｂを備える点が異なっている。この図１７に示されるように、演出コンテンツ生成部１９３Ｂは、演出音声生成部１９８Ｂと、演出画像生成部１９９Ｂとを備えている。
【０１１８】
上記の演出音声生成部１９８Ｂは、上述した演出音声生成部１９８Ａと同様に、取得ユニット１１０から送られた走行情報データＲＩＤを受けると、走行情報データＲＩＤに基づいて車両ＣＲの車速及び加速度を特定した後、特定された車速及び加速度に基づいて車両ＣＲの走行状態を特定する。そして、演出音声生成部１９８Ｂは、特定された走行状態が上述した走行状態ＲＳＴ1〜ＲＳＴ4のいずれかであるという演出条件を満たすか否かを判定する。
【０１１９】
当該判定の結果が肯定的であった場合に、演出音声生成部１９８Ｂは、特定された走行状態、及び、制御部１９１により指定された演出ジャンルの組み合わせに対応して記憶ユニット１２０Ｂの演出情報記憶領域１２２内に記憶された個別演出音声情報を、演出情報データＤＲＤの一部である演出音声情報データＤＳＤとして読み取る。また、演出音声生成部１９８Ｂは、ＧＰＳ受信ユニット１６０から送られた現在位置データＣＰＤにより特定される車両ＣＲの現在位置に基づいて、当該現在位置周辺の地図情報を、記憶ユニット１２０Ｂの地図情報記憶領域１２３から、地図情報データＭＰＤとして読み取る。
【０１２０】
そして、演出音声生成部１９８Ｂは、読み取られた個別演出音声情報に基づく演出音声に対して、読み取られた地図情報に基づく補正を施した補正演出音声を生成する。例えば、演出ジャンルが「電車」の場合には、アナウンス音声に搭乗する駅名を、周辺位置に存在する駅名とする等の補正を行う。こうした生成された補正演出音声が、演出音声データＤＳＧとして、合成部１９４へ送られる。
【０１２１】
上記の演出画像生成部１９９Ｂは、上述した演出画像生成部１９９Ａと同様に、取得ユニット１１０から送られた走行情報データＲＩＤを受けると、上述した演出音声生成部１９８Ｂと同様に、走行情報データＲＩＤに基づいて車両ＣＲの車速及び加速度を特定した後、特定された車速及び加速度に基づいて車両ＣＲの走行状態を特定する。そして、演出画像生成部１９９Ｂは、特定された走行状態が上述の演出条件を満たすか否かを判定する。
【０１２２】
当該判定の結果が肯定的であった場合に、演出画像生成部１９９Ｂは、特定された走行状態、及び、制御部１９１により指定された演出ジャンルの組み合わせに対応して記憶ユニット１２０Ｂの演出情報記憶領域１２２内に記憶された個別演出画像情報を、演出情報データＤＲＤの一部である演出画像情報データＤＩＤとして読み取る。また、演出画像生成部１９９Ｂは、ＧＰＳ受信ユニット１６０から送られた現在位置データＣＰＤにより特定される車両ＣＲの現在位置に基づいて、当該現在位置周辺の地図情報を、記憶ユニット１２０Ｂの地図情報記憶領域１２３から、地図情報データＭＰＤとして読み取る。
【０１２３】
そして、演出画像生成部１９９Ｂは、読み取られた個別演出画像情報に基づく演出画像に対して、読み取られた地図情報に基づく補正を施した補正演出画像を生成する。例えば、演出ジャンルが「電車」の場合には、周辺地域が山岳地域、海浜地域、都市地域等の地域に対応した背景像とする等の補正を行う。こうした生成された補正演出画像が、演出画像データＤＳＧとして、選択部１９５へ送られる。
【０１２４】
＜動作＞
次に、上記のように構成された擬似環境生成装置１００Ｂの動作について、処理ユニット１９０Ｂにおける処理に主に着目して説明する。なお、上述した第１実施形態の動作の説明の場合と同様に、利用者の操作入力ユニット１５０への擬似環境ジャンル及び演出ジャンルの指定入力に従って、指定された擬似環境ジャンルが擬似環境コンテンツ生成部１９２に対して指定されるとともに、指定された演出ジャンルが演出コンテンツ生成部１９３Ｂに対して指定されているものとする。
【０１２５】
擬似環境生成装置１００Ｂでは、第１実施形態の場合と同様に、取得ユニット１１０により取得された走行情報が、走行情報データＲＩＤとして、取得ユニット１１０から処理ユニット１９０Ｂへ送られる（図１５参照）。処理ユニット１９０Ｂは、取得ユニット１１０から送られた走行情報データＲＩＤを受け、出力音データＡＯＤ及び表示画像データＩＭＤの生成処理を行う。
【０１２６】
《出力音データＡＯＤの生成処理》
出力音データＡＯＤの生成処理に際して、処理ユニット１９０Ｂは、擬似音データＰＳＧの生成処理、演出音声データＤＳＧの生成処理、及び、擬似音データＰＳＧと演出音声データＤＳＧとの合成処理を行う。ここで、本第２実施形態における出力音データＡＯＤの生成処理では、擬似音データＰＳＧの生成処理、及び、擬似音データＰＳＧと演出音声データＤＳＧとの合成処理は、第１実施形態の場合と同様にして行われる。すなわち、本第２実施形態における出力音データＡＯＤの生成処理では、演出音声データＤＳＧの生成処理が、第１実施形態の場合と異なっているので、当該相違点に着目して説明する。
【０１２７】
（ｂ’）演出音声データＤＳＧの生成処理
演出音声データＤＳＧの生成処理は、処理ユニット１９０Ｂにおける演出コンテンツ生成部１９３Ｂの構成要素である演出音声生成部１９８Ｂにより実行される（図１７参照）。
【０１２８】
演出音声データＤＳＧの生成処理に際しては、図１８に示されるように、まず、ステップＳ５１，Ｓ５２において、上述したステップＳ２１，Ｓ２２（図１２参照）と同様に、演出音声生成部１９８Ｂが、新たな走行情報データを受けたか否かを判定し、この判定の結果が肯定的となった（ステップＳ５１：Ｙ）場合に、車両ＣＲの走行状態が、上述した演出条件が満たすか否かを判定する。ステップＳ５２における判定の結果が肯定的であった場合（ステップＳ５２：Ｙ）には、処理はステップＳ５３へ進む。このステップＳ５３では、上述したステップＳ２３（図１２参照）と同様に、演出音声生成部１９８Ｂが、車両ＣＲの走行状態が変化したか否かを判定する。この判定の結果が否定的であった場合（ステップＳ５３：Ｎ）には、処理はステップＳ５１へ戻る。
【０１２９】
ステップＳ５３における判定の結果が肯定的であった場合（ステップＳ５３：Ｙ）には、処理はステップＳ５４へ進む。このステップＳ５４では、演出音声生成部１９８Ｂが、指定された演出ジャンルとの組み合わせに対応して登録されている個別演出音声情報を、記憶ユニット１２０Ｂ内の演出情報記憶領域１２２から、演出音声情報データＤＳＤとして読み取る。そして、演出音声生成部１９８Ｂが、更に、ＧＰＳ受信ユニット１６０から送られた現在位置データＣＰＤにより特定される車両ＣＲの現在位置に基づいて、当該現在位置周辺の地図情報を、記憶ユニット１２０Ｂの地図情報記憶領域１２３から、地図情報データＭＰＤとして読み取る。
【０１３０】
次に、ステップＳ５５において、演出音声生成部１９８Ｂが、読み取られた個別演出音声情報に基づく音声に対して、読み取られた地図情報に基づく補正を施した演出音声データＤＳＧの生成を開始する。こうして生成された演出音声データＤＳＧは、合成部１９４へ送られる（図１７参照）。そして、処理はステップＳ５１へ戻る。
【０１３１】
なお、ステップＳ５５で開始された新たな個別演出音声情報及び新たな現在位置に基づく演出音声データＤＳＧの生成処理は、次にステップＳ５５が実行されるまで、又は、後述するステップＳ５７が実行されるまで継続するようになっている。
【０１３２】
一方、上述したステップＳ５２における判定の結果が否定的であった場合（ステップＳ５２：Ｎ）には、処理はステップＳ５６へ進む。このステップＳ５６では、上述したステップＳ２６（図１２参照）と同様に、演出音声生成部１９８Ｂが、演出音声データＤＳＧの生成中であるか否かを判定する。この判定の結果が否定的であった場合（ステップＳ５６：Ｎ）には、処理はステップ５１へ戻る。
【０１３３】
ステップＳ５６における判定の結果が肯定的であった場合（ステップＳ５６：Ｙ）には、処理はステップ５７へ進む。このステップＳ５７では、上述したステップＳ２７（図１２参照）と同様に、演出音声生成部１９８Ｂが、演出音声データＤＳＧの生成を終了する。その後、処理がステップＳ５１へ戻る。以後、ステップＳ５１〜５７の処理が繰り返される。
【０１３４】
以上のステップ５１〜Ｓ５７の処理により生成された演出音声データＤＳＧを受けると、合成部１９４が、第１実施形態の場合と同様にして、擬似音データＰＳＧと演出音声データＤＳＧとを加算することにより、擬似音データＰＳＧと演出音声データＤＳＧとを合成し、出力音データＡＯＤを生成する。この結果、第１実施形態の場合と同様にして、演出音声生成部１９８Ｂが演出音声を生成している状態にある期間においては、擬似音に演出音声が重畳された音のデータに基づく音が、音声ユニット１３０から出力される。一方、演出音声生成部１９８Ｂが演出音声を生成していない状態にある期間においては、擬似音のデータに基づく音が、音声ユニット１３０から出力される。
【０１３５】
《表示画像データＩＭＤの生成処理》
表示画像データＩＭＤの生成処理に際して、処理ユニット１９０Ｂは、擬似画像データＰＩＧの生成処理、演出画像データＤＩＧの生成処理、及び、擬似画像データＰＩＧ又は演出画像データＤＩＧの選択処理を行う。ここで、本第２実施形態における表示画像データＩＭＤの生成処理では、擬似画像データＰＩＧの生成処理、及び、擬似画像データＰＩＧの選択処理は、第１実施形態の場合と同様にして行われる。すなわち、本第２実施形態における表示画像データＩＭＤの生成処理では、演出画像データＤＩＧの生成処理が、第１実施形態の場合と異なっているので、当該相違点に着目して説明する。
【０１３６】
（ｅ’）演出画像データＤＩＧの生成処理
演出画像データＤＩＧの生成処理は、処理ユニット１９０Ｂにおける演出コンテンツ生成部１９３Ｂの構成要素である演出画像生成部１９９Ｂにより実行される（図１７参照）。
【０１３７】
演出音声データＤＩＧの生成処理に際しては、図１９に示されるように、まず、ステップＳ６１，６２において、上述したステップＳ４１，Ｓ４２（図１４参照）と同様に、演出画像生成部１９９Ｂが、新たな走行情報データＲＩＤを受けたか否かを判定し、この判定の結果が肯定的となった（ステップＳ６１：Ｙ）場合に、車両ＣＲの走行状態が、上述した演出条件が満たすか否かを判定する。ステップＳ６２における判定の結果が肯定的であった場合（ステップＳ６２：Ｙ）には、処理はステップＳ６３へ進む。このステップＳ６３では、上述したステップＳ４３（図１４参照）と同様に、演出画像生成部１９９Ｂが、車両ＣＲの走行状態が変化したか否かを判定する。この判定の結果が否定的であった場合（ステップＳ６３：Ｎ）には、処理はステップＳ６１へ戻る。
【０１３８】
ステップＳ６３における判定の結果が肯定的であった場合（ステップＳ６３：Ｙ）には、ステップＳ６４，６５において、上述したステップＳ４４，Ｓ４５（図１４参照）の場合と同様に、演出画像生成部１９９Ｂが、演出画像データＤＩＧを生成中か否かを判定し、この判定が肯定的であった場合（ステップＳ６４：Ｙ）には、処理は後述するステップＳ６６へ進む。一方、ステップＳ６４における判定の結果が否定的であった場合（ステップＳ６４：Ｎ）には、ステップＳ６５において、演出画像生成部１９９Ｂが、演出画像データＤＩＧを選択すべき旨の選択指令ＩＳＣを選択部１９５へ送ることにより、演出画像データＤＩＧを表示画像データＩＭＤとすべきことを選択する。そして、処理はステップＳ６６へ進む。
【０１３９】
ステップＳ６６では、演出画像生成部１９９Ｂが、推定された走行状態と、指定された演出ジャンルとの組み合わせに対応して登録されている個別演出画像情報を、記憶ユニット１２０Ｂ内の演出情報記憶領域１２２から、演出画像情報データＤＩＤとして読み取る。そして、演出画像生成部１９９Ｂが、更に、ＧＰＳ受信ユニット１６０から送られた現在位置データＣＰＤにより特定される車両ＣＲの現在位置に基づいて、当該現在位置周辺の地図情報を、記憶ユニット１２０Ｂの地図情報記憶領域１２３から、地図情報データＭＰＤとして読み取る。
【０１４０】
次に、ステップＳ６７において、演出画像生成部１９９Ｂが、読み取られた個別演出画像情報に基づく画像に対して、読み取られた地図情報に基づく補正を施した演出画像データＤＩＧの生成を開始する。こうして生成された演出画像データＤＩＧは、選択部１９５へ送られる（図１７参照）。そして、処理はステップＳ６１へ戻る。
【０１４１】
なお、ステップＳ６７で開始された新たな個別演出画像情報及び新たな現在位置に基づく演出画像データＤＩＧの生成処理は、次にステップＳ６７が実行されるまで、又は、後述するステップＳ７０が実行されるまで継続するようになっている。
【０１４２】
一方、上述したステップＳ６２における判定の結果が否定的であった場合（ステップＳ６２：Ｎ）には、ステップＳ６８〜Ｓ７０において、上述したステップＳ４８〜Ｓ５０（図１４参照）の場合と同様にして、まず、演出画像生成部１９９Ｂが、演出画像データＤＩＧの生成中であるか否かを判定し、この判定の結果が否定的であった場合（ステップＳ６８：Ｎ）には、処理はステップ６１へ戻る。ステップＳ６８における判定の結果が肯定的であった場合（ステップＳ６８：Ｙ）には、ステップＳ６９において、演出画像生成部１９９Ｂが、演出画像データＤＩＧの生成を終了した後、ステップＳ７０において、演出画像生成部１９９Ｂが、擬似画像データＰＩＧを選択すべき旨の選択指令ＩＳＣを選択部１９５へ送ることにより、擬似画像データＰＩＧを表示画像データＩＭＤとすべきことを選択する。そして、処理はステップＳ６１へ戻る。以後、ステップＳ６１〜Ｓ７０の処理が繰り返される。
【０１４３】
以上の擬似画像生成部１９９Ｂにおけるステップ６１〜Ｓ７０の処理により生成された演出画像データＤＩＧ及び選択指令ＩＳＣ、並びに、擬似画像生成部１９７により生成された擬似画像データＰＩＧを受けると、選択部１９５が、第１実施形態の場合と同様にして、選択指令ＩＳＣに従って、擬似画像データＰＩＧ及び演出画像データＤＩＧのいずれか一方を選択し、表示画像データＩＭＤとして、表示ユニット１４０へ送る。この結果、演出画像生成部１９９Ｂが演出画像データＤＩＧを生成している状態にある期間においては、演出画像データＤＩＧに基づく画像が、表示ユニット１４０に表示される。一方、演出画像生成部１９９Ｂが演出画像データＤＩＧを生成していない状態にある期間においては、擬似画像データＰＩＧに基づく画像が、表示ユニット１４０に表示される。
【０１４４】
以上説明したように、本第２実施形態では、第１実施形態の場合と同様に、取得ユニット１１０により取得された車両ＣＲの走行情報に基づいて、擬似環境コンテンツ生成部１９２が、擬似音データＰＳＧ及び擬似画像データＰＩＧを生成する。また、当該取得された走行情報から推定される走行状態が演出条件を満たす場合には、演出コンテンツ生成部１９３Ｂが、演出音声データＤＳＧ及び演出画像データＤＩＧを生成する。
【０１４５】
そして、合成部１９４が、擬似音データＰＳＧと演出音声データＤＳＧとを合成して、出力音データＡＯＤを生成して、音出力ユニット１３０へ送る。そして、音出力ユニット１３０が、出力音データＡＯＤに基づいた音出力を行う。
【０１４６】
また、選択部１９５は、車両ＣＲの走行状態が演出条件を満たす期間には、演出画像データＤＩＧを選択し、表示画像データＩＭＤとして表示ユニット１４０へ送る。一方、選択部１９５は、車両ＣＲの走行状態が演出条件を満していない期間には、擬似画像データＰＩＧを選択し、表示画像データＩＭＤとして表示ユニット１４０へ送る。そして、表示ユニット１４０は、表示画像データＩＭＤに基づいた画像表示を行う。
【０１４７】
したがって、本第２実施形態によれば、第１実施形態の場合と同様に、利用者に対して走行臨場感や快適なドライブ感を与えることができる擬似環境を生成することができる。
【０１４８】
また、本第２実施形態では、車両ＣＲの現在位置を考慮した補正を行って、演出音声及び演出画像を生成する。このため、第１実施形態よりも、臨場感やエンターテイメント性に優れた擬似環境を生成することができる。
【０１４９】
また、本第２実施形態では、第１実施形態の場合と同様に、擬似環境情報が複数の擬似環境ジャンルごとに用意され、演出情報が複数の演出ジャンルごとに用意されるともに、操作入力ユニット１５０へのジャンル指定入力により、擬似環境ジャンル及び演出ジャンルを選択できる。このため、利用者の趣味感に適合した擬似環境を生成することができる。
【０１５０】
［実施形態の変形］
本発明は、上記の実施形態に限定されるものではなく、様々な変形が可能である。
【０１５１】
例えば、上記の第１及び第２実施形態では、擬似環境コンテンツ生成部１９２が、擬似音データＰＳＧ及び擬似画像データＰＩＧを生成するようにしたが、擬似音データＰＳＧのみを生成するようにしてもよい。この場合には、擬似画像生成部１９７及び選択部１９５を省略することができる。なお、この場合には、演出コンテンツ生成部１９３Ａ，１９３Ｂが、表示画像供給手段の機能を更に果たすことになる。
【０１５２】
また、上記の第１及び第２実施形態では、演出コンテンツ生成部１９３Ａ，１９３Ｂが、演出音声データＤＳＧ及び演出画像データＤＩＧを生成するようにしたが、演出音声データＤＳＧのみを生成するようにしてもよい。この場合には、演出画像生成部１９９Ａ，１９９Ｂ及び選択部１９５を省略することができる。なお、この場合には、擬似環境コンテンツ生成部１９２が、表示画像供給手段の機能を更に果たすことになる。
【０１５３】
さらに、擬似環境コンテンツ生成部１９２が、擬似音データＰＳＧのみを生成するとともに、演出コンテンツ生成部１９３Ａ，１９３Ｂが、演出音声データＤＳＧのみを生成するようにしてもよい。この場合には、擬似画像生成部１９７、演出画像生成部１９９Ａ，１９９Ｂ及び選択部１９５を省略することができる。
【０１５４】
また、上記の第１及び第２実施形態では、擬似環境ジャンル及び演出ジャンルとして、「Ｆ１レース」及び「電車」を例示したが、例えば、「競馬」等の他のジャンルを併せて、又は、「Ｆ１レース」及び「電車」に代えて採用してもよい。
【０１５５】
また、上記の第１及び第２実施形態では、擬似音データＰＳＧと演出音声データＤＳＧとを合成して出力音データＡＯＤを生成するようにしたが、擬似画像データＰＩＧ及び演出画像データＤＩＧの場合のように、いずれかを選択して、出力音データＡＯＤを生成するようにしてもよい。
【０１５６】
また、上記の第１及び第２実施形態では、擬似画像データＰＩＧを、車速を考慮して生成するようにしたが、車速に依存しない擬似画像データＰＩＧを生成してもよい。
【０１５７】
また、上記の第１及び第２実施形態では、走行情報として、車速及び加速度を取得するようにしたが、他の種類の走行に関連する情報、例えば、角速度、ブレーキ操作情報、ハンドル操作情報等を併せて取得するようにしてもよい。
【０１５８】
また、上記の第２実施形態では、車両ＣＲの現在位置をＧＰＳ測位のみにより検出するようにしたが、車両ＣＲの車速、走行方向等と地図情報とを用いるいわゆるマップマッチングの手法を用いて検出するようにしてもよい。
【０１５９】
なお、上記の第１及び第２実施形態における処理ユニットの全部又は一部を中央処理装置（ＣＰＵ：Central Processor Unit）やＤＳＰ（Digital Signal Processor）を備えるコンピュータシステムとして構成し、上述した処理ユニットの全部又は一部の機能を、プログラムの実行によって実現するようにすることができる。これらのプログラムは、ＣＤ−ＲＯＭ、ＤＶＤ等の可搬型記録媒体に記録された形態で取得されるようにしてもよいし、インターネットなどのネットワークを介した配信の形態で取得されるようにしてもよい。
【符号の説明】
【０１６０】
１００Ａ，１００Ｂ  …  擬似環境生成装置
１１０              …  取得ユニット（取得手段）
１２１              …  擬似環境情報記憶領域（擬似環境情報記憶手段）
１２２              …  演出情報記憶領域（演出情報記憶手段）
１２３              …  地図情報記憶領域（地図情報記憶手段）
１３０              …  音出力ユニット（音出力手段）
１４０              …  表示ユニット（画像表示手段）
１５０              …  操作入力ユニット（操作入力手段）
１６０              …  ＧＰＳ受信ユニット（位置検出手段）
１９１              …  制御部（制御手段）
１９２              …  擬似環境コンテンツ生成部（擬似環境コンテンツ生成手段）
１９３Ａ，１９３Ｂ  …  演出コンテンツ生成部（演出コンテンツ生成手段）
１９４              …  合成部（出力音供給手段）
１９５              …  選択部（表示画像供給手段）
【図１】
2011164242.tif 000003
【図２】
2011164242.tif 000004
【図３】
2011164242.tif 000005
【図４】
2011164242.tif 000006
【図５】
2011164242.tif 000007
【図６】
2011164242.tif 000008
【図７】
2011164242.tif 000009
【図８】
2011164242.tif 000010
【図９】
2011164242.tif 000011
【図１０】
2011164242.tif 000012
【図１１】
2011164242.tif 000013
【図１２】
2011164242.tif 000014
【図１３】
2011164242.tif 000015
【図１４】
2011164242.tif 000016
【図１５】
2011164242.tif 000017
【図１６】
2011164242.tif 000018
【図１７】
2011164242.tif 000019
【図１８】
2011164242.tif 000020
【図１９】
2011164242.tif 000021